(57)【要約】【課題】トーンスケルチとディジタルコードスケルチを併用した場合に、ノイズ出力を抑制するといったスケルチ本来の機能を維持しつつ、不自然な音声の途切れを防止でき、安定した音声出力を行うことができる、受信装置を提供すること。【解決手段】トーンスケルチ判断部４１１は、トーン信号の検出結果に基づいて、トーンスケルチの要否を判断する。ＤＣＳ判断部４１２は、システム毎に割り当てられたディジタルコードの検出結果に基づいて、ディジタルコードスケルチの要否を判断する。スケルチ制御部４０６は、トーンスケルチ判断部４１１及びＤＣＳ判断部４１２において、トーンスケルチ又はディジタルコードスケルチの一方がスケルチ要で、かつ、他方がスケルチ不要の判断結果が得られ、かつ、スケルチ要と判断された信号が検出されなかった時間が閾値以下の場合に、スケルチを行わない。【選択図】図１０
2012191327.tif 000002
【特許請求の範囲】
【請求項１】
ワイヤレスマイクロホンから、音声信号とトーン信号と識別コードと、を受信し、
前記トーン信号の検出強度に応じて、受信した前記音声信号の出力を制御する、ワイヤレス受信装置であって、
受信した前記識別コードが登録されている識別コードと対応する場合だけでなく、
前記識別コードが検出されなくとも、前記トーン信号が所定の強度で検出される場合には、前記音声信号を出力する、
ワイヤレス受信装置。
【請求項２】
前記トーン信号が所定の強度で検出される場合に、
前記識別コードが受信されない状態が、所定の時間以内で継続しているときに、前記音声信号を出力する、
請求項１に記載のワイヤレス受信装置。
【請求項３】
前記トーン信号が所定の強度で検出されている場合に、
順に伝送される前記識別コードが前記受信装置に読み込まれている期間内は、
前記識別コードの受信の有無に関わらず前記音声信号を出力する、
請求項１又は請求項２に記載のワイヤレス受信装置。
【請求項４】
前記トーン信号は、前記受信装置内で２値化された前記トーン信号が交番している場合には所定の強度として検出する、
請求項１乃至請求項３のいずれか１項に記載のワイヤレス受信装置。
【請求項５】
前記トーン信号は、前記音声信号の高域側の、前記音声信号の帯域外に配置され、
前記識別コードを含む識別信号は、前記トーン信号を変調することによって、前記トーン信号に重畳される、
請求項１乃至請求項４のいずれか１項に記載のワイヤレス受信装置。
【請求項６】
前記識別コードを含む識別信号は、前記音声信号の低域側の、前記音声信号の帯域外に配置される、
請求項１乃至請求項４のいずれか１項に記載のワイヤレス受信装置。
【請求項７】
ワイヤレスマイクロホンから、音声信号とトーン信号と識別コードと、を受信する、ワイヤレス受信方法であって、
受信した前記識別コードが、登録されている識別コードと対応するかどうかを検出するステップと、
受信した前記識別コードが登録された識別コードと対応する場合だけでなく、
前記識別コードが検出されなくとも、前記トーン信号が所定の強度で検出される場合には、前記音声信号を出力するステップと、
を含むワイヤレス受信方法。
【請求項８】
音声信号とトーン信号と識別コードと、を送信するワイヤレスマイクロホンと、
ワイヤレスマイクロホンから、前記音声信号と、前記トーン信号と、前記識別コードと、を受信するワイヤレス受信装置と、を備え、
前記ワイヤレスマイクロホンは、登録された前記識別コードを送信し、
前記ワイヤレス受信装置は、
受信した前記識別コードが登録されている識別コードと対応する場合だけでなく、
前記識別コードが検出されなくとも、前記トーン信号が所定の強度で検出される場合に
は、前記音声信号を出力する、
ワイヤレス送受信システム。
【発明の詳細な説明】
【技術分野】
【０００１】
本発明は、ワイヤレスマイクロホンに用いられるワイヤレス受信装置、ワイヤレス受信方法及びワイヤレス送受信システムに関する。特に、スケルチ処理を行うワイヤレス受信装置、ワイヤレス受信方法及びワイヤレス送受信システムに関する。
【背景技術】
【０００２】
ワイヤレスマイクロホンシステムは、入力された音声を音声信号に変換し、変調して無線にて送信するワイヤレスマイクロホンと、無線送信された音声信号を受信し、復調して音声出力を行う受信機と、から構成されている。
【０００３】
このような、ワイヤレスマイクロホンシステムでは、通常、受信機にスケルチ回路が設けられている。スケルチ回路は、ワイヤレスマイクロホンの電源が切られていたり、ワイヤレスマイクロホンから受信する電波が微弱な場合に、スピーカからの音声出力をＯＦＦ制御することにより、スピーカから不要なノイズが出力されることを防止する。
【０００４】
スケルチの種類としては、一般に、ノイズスケルチ、キャリアスケルチ、トーンスケルチが良く知られている。
【０００５】
ノイズスケルチは、受信した信号に雑音成分が閾値以上含まれている場合に、音声出力をＯＦＦ制御（つまりスケルチＯＮ）する。キャリアスケルチは、キャリア周波数の強度が閾値以下の場合に、音声出力をＯＦＦ制御する。ここで、ノイズスケルチとキャリアスケルチは、共に、受信信号の受信電界強度が閾値以下の場合に（このような場合に受信信号の雑音成分が閾値以上になり、キャリア周波数の強度が閾値以下になる）、音声出力をＯＦＦ制御してノイズ出力を抑制するものであるから、キャリアスケルチも含めてノイズスケルチと呼ぶことが多い。本明細書でも、キャリアスケルチも含めてノイズスケルチと呼ぶことにする。つまり、本明細書で言うノイズスケルチとは、受信電界強度が閾値以下の場合、受信信号に雑音成分が閾値以上含まれている場合、又は、キャリアの強度が閾値以下の場合に、音声出力をＯＦＦ制御するものを全て含むものとする。
【０００６】
トーンスケルチは、送信側において、音声信号と同時に単一周波数のトーン信号を送信し、受信側において、トーン信号が所定の強度で検出できない場合に、音声出力をＯＦＦ制御する。このトーンスケルチを行うことにより、待ち受け時に、特定のワイヤレスマイクロホン以外から送信された信号（例えば他のワイヤレスマイクロホンから送信された信号や、他の電子機器からの外来ノイズ）が、音声出力されることを防止できる。
【０００７】
また、トーン信号は、ワイヤレスマイクロホンの電源ＯＮ／ＯＦＦ操作スイッチがＯＮ操作されると、キャリア信号のみが送信され、一定時間経過後にトーン信号の送信が開始されるようになっている。また、トーン信号は、ワイヤレスマイクロホンの電源ＯＮ／ＯＦＦ操作スイッチがＯＦＦ操作されると、トーン信号の送信がＯＦＦされ、一定時間経過後にキャリア信号が停止されるようになっている。これにより、マイクロホンの電源ＯＮ／ＯＦＦ時に生じるノイズがスピーカから出力されるのを防止できる。
【０００８】
多くの場合、トーンスケルチは、ノイズスケルチと併用される。
【０００９】
ところで、トーンスケルチを行う場合、図１に示すように、近隣に他のシステムが存在し、かつ、システム間で同一のトーン周波数が用いられると、混信が生じるおそれがある。混信が生じると、上述した、トーン信号による効果が失われてしまう。
【００１０】
具体的には、隣のビルや、近隣した各社のワイヤレスマイクロホンシステムから、自システムが用いているトーン周波数と同一のトーン周波数のトーン信号が送信され、かつ、そのトーン信号の受信電界強度が受信機の受信感度などから受信可能なものであれば、混信が生じる。混信が生じると、特に受信機の待ち受け時に、近隣システムからの音声等が誤って出力される。ここで、トーンスケルチ用のトーン周波数は、ＲＣＲ  ＳＴＤの規格にて推奨されているので、規格に準拠したシステムが近隣に存在して、システム間で同じ周波数となるケースが多く、近隣システム間では混信が生ずることも多い。
【００１１】
図１は、システムＡ、Ｂ、Ｃで同一のトーン周波数のトーン信号が用いられた場合の混信の様子を示す。図１の例では、システムＡのワイヤレスマイクロホン（マイク）からの信号が、システムＢの受信機及びシステムＣの受信機へ混信している。また、システムＢのマイクからの信号がシステムＡの受信機へ混信している。システムＣの受信機は、システムＢのマイクから遠いため、混信しない。また、システムＣのマイクからの信号がシステムＡの受信機へ混信している。システムＢの受信機は、システムＣのマイクから遠いため、混信しない。
【００１２】
ここで、例えば、特許文献１には、ディジタルコードスケルチ（ＤＣＳ）に関する技術が開示されている。特許文献１では、サービスエリアが狭くなることを防止することができるディジタルコードスケルチ技術が開示されている。加えて、特許文献１の段落［００１７］には、「実施例に係るディジタルコードスケルチ方式にノイズスケルチ、トーンスケルチを併用することができる。例えば、実施例に係るデジタルスケルチ方式にノイズスケルチを併用しておけば、デジタルスケルチが開放されている時でもノイズスケルチによりノイズの出カレベルを抑制できる。」と記載されている。
【先行技術文献】
【特許文献】
【００１３】
【特許文献１】特開平６−３１８８８０号公報
【発明の概要】
【発明が解決しようとする課題】
【００１４】
上記特許文献１で開示されているように、トーンスケルチとディジタルコードスケルチを併用すれば、上述したような混信による隣接システムからの不要な音声やノイズが出力される不都合も解消できると考えられる。
【００１５】
ところが、特許文献１には、トーンスケルチとディジタルコードスケルチを併用した場合に、どのようなタイミングや条件でスケルチを行うかについては、十分な検討がなされていない。当然、強いスケルチを行えば、音声が途切れてしまったり、サービスエリアが狭くなる。適切にスケルチを行わなければ、隣接システムの音声やノイズが出力されてしまう。
【００１６】
本発明は、以上の点を考慮してなされたものであり、トーンスケルチとディジタルコードスケルチを併用した場合に、隣接システムからの不要な音声やノイズの出力を抑制するといったスケルチ本来の機能を維持しつつ、不自然な音声の途切れを防止でき、安定した音声出力を行うことができる、ワイヤレス受信装置、ワイヤレス受信方法及びワイヤレス送受信システムを提供することを目的とする。
【課題を解決するための手段】
【００１７】
本発明のワイヤレス受信装置の一つの態様は、ワイヤレスマイクロホンから、音声信号とトーン信号と識別コードと、を受信し、前記トーン信号の検出強度に応じて、受信した前記音声信号の出力を制御する、ワイヤレス受信装置であって、受信した前記識別コードが登録されている識別コードと対応する場合だけでなく、前記識別コードが検出されなくとも、前記トーン信号が所定の強度で検出される場合には、前記音声信号を出力する構成を有している。
【００１８】
この構成により、トーン信号が所定の強度で検出された場合には、識別コードが検出されなくても音声信号を出力できるため、受信される音声の途切れを少なくすることができる。
【００１９】
また本発明のワイヤレス受信装置の一つの態様は、前記トーン信号が所定の強度で検出される場合に、前記識別コードが受信されない状態が、所定の時間以内で継続しているときに、前記音声信号を出力する構成を有している。
【００２０】
この構成により、識別コードが受信されない状態が所定時間内であれば、音声信号を出力するので混信を防止しつつ、受信される音声の途切れを少なくすることができる。
【００２１】
また、本発明のワイヤレス受信装置の一つの態様は、前記トーン信号が所定の強度で検出されている場合に、順に伝送される前記識別コードが前記受信装置に読み込まれている期間内は、前記識別コードの受信の有無に関わらず前記音声信号を出力する構成を有している。
【００２２】
この構成により、ＤＣＳ信号を読み込み中であってもトーン信号が検出されていれば音声出力を行うことができるので、識別コードの伝送速度が低速で、識別コードの読込みに時間がかかる場合にも、受信される音声の途切れを少なくすることができる。
【００２３】
また、本発明のワイヤレス受信装置の一つの態様は、前記トーン信号は、前記受信装置内で２値化された前記トーン信号が交番している場合には所定の強度として検出する構成を有している。
【００２４】
この構成により、２値化されたトーン信号が交番してさえいれば、所定の強度として検出することからトーン信号の検出を容易にできる。
【００２５】
また、本発明のワイヤレス受信装置の一つの態様は、前記トーン信号は、前記音声信号の高域側の、前記音声信号の帯域外に配置され、前記識別コードを含む識別信号は、前記トーン信号を変調することによって、前記トーン信号に重畳される構成を有している。
【００２６】
この構成により、識別信号の伝送のための帯域を必要とすることなく、識別信号をトーン信号とともに伝送することができる。
【００２７】
また、本発明のワイヤレス受信装置の一つの態様は、前記識別コードを含む識別信号は、前記音声信号の低域側の、前記音声信号の帯域外に配置される構成を有している。
【００２８】
この構成により、音声信号の低域の伝送を要しない場合に識別信号をトーン信号と並列させて効率よく伝送することができる。
【００２９】
また本発明のワイヤレス受信方法の一つの態様は、ワイヤレスマイクロホンから、音声信号とトーン信号と識別コードと、を受信する、ワイヤレス受信方法であって、受信した前記識別コードが、登録されている識別コードと対応するかどうかを検出するステップと、受信した前記識別コードが登録された識別コードと対応する場合だけでなく、前記識別コードが検出されなくとも、前記トーン信号が所定の強度で検出される場合には、前記音
声信号を出力するステップとを有した方法である。
【００３０】
この方法により、トーン信号が所定の強度で検出された場合には、識別コードが検出されなくても音声信号を出力できるため、受信される音声の途切れを少なくすることができる。
【００３１】
また本発明のワイヤレス送受信システムの一つの態様は、音声信号とトーン信号と識別コードと、を送信するワイヤレスマイクロホンと、ワイヤレスマイクロホンから、前記音声信号と、前記トーン信号と、前記識別コードと、を受信するワイヤレス受信装置と、を備え、前記ワイヤレスマイクロホンは、登録された前記識別コードを送信し、前記ワイヤレス受信装置は、受信した前記識別コードが登録されている識別コードと対応する場合だけでなく、前記識別コードが検出されなくとも、前記トーン信号が所定の強度で検出される場合には、前記音声信号を出力する構成を有している。
【００３２】
この構成により、ワイヤレス受信装置側で、トーン信号が所定の強度で検出された場合には、識別コードが検出されなくても音声信号を出力できるため、受信される音声の途切れを少なくすることができる。
【発明の効果】
【００３３】
本発明によれば、トーンスケルチとディジタルコードスケルチを併用した場合に、隣接システムからの不要な音声やノイズの出力を抑制するといったスケルチ本来の機能を維持しつつ、不自然な音声の途切れを防止でき、安定した音声出力を行うことができる。
【図面の簡単な説明】
【００３４】
【図１】近隣システムとの混信の様子を示す図
【図２】ワイヤレスマイクロホンの第１の構成例を示すブロック図
【図３】第１の構成例のワイヤレスマイクロホンによってなされる、信号配置を示す図
【図４】ＤＣＳ信号の構成を示す図
【図５】ワイヤレスマイクロホンの第２の構成例を示すブロック図
【図６】第２の構成例のワイヤレスマイクロホンによってなされる、信号配置を示す図
【図７】ワイヤレスマイクロホンの第３の構成例を示すブロック図
【図８】第３の構成例のワイヤレスマイクロホンによってなされる、信号配置を示す図
【図９】ワイヤレスマイクロホンの動作の説明に供する図
【図１０】受信機の第１の構成例を示す図
【図１１】受信機の第２の構成例を示す図
【図１２】受信機の第３の構成例を示す図
【図１３】第１のスケルチ制御例の説明に供する図であり、図１３Ａはワイヤレスマイクロホンから送信された信号の様子を示す図、図１３Ｂは、受信機により受信された信号の様子、及び、出力される音声信号の様子を示す図
【図１４】図１３に対する比較例を示す図であり、図１４Ａはワイヤレスマイクロホンから送信された信号の様子を示す図、図１４Ｂは、受信機により受信されたＤＣＳ信号の様子、及び、出力される音声信号の様子を示す図
【図１５】第２のスケルチ制御例の説明に供する図であり、図１５Ａはワイヤレスマイクロホンから送信された信号の様子を示す図、図１５Ｂは、受信機により受信された信号の様子、及び、出力される音声信号の様子を示す図
【図１６】図１５に対する比較例を示す図であり、図１６Ａはワイヤレスマイクロホンから送信された信号の様子を示す図、図１６Ｂは、受信機により受信されたＤＣＳ信号の様子、及び、出力される音声信号の様子を示す図
【図１７】スケルチ制御の手順を示すフローチャート
【図１８】スケルチ制御のための論理演算の等価回路を示す図
【発明を実施するための形態】
【００３５】
以下、本発明の実施の形態について図面を参照して詳細に説明する。
【００３６】
［１］ワイヤレスマイクロホンの構成
［１−１］構成Ｉ
図２に、ワイヤレスマイクロホンの第１の構成例を示す。
【００３７】
ワイヤレスマイクロホン１００は、マイクロホン（マイク）１０１で得た音声信号を、ＡＦ(Audio Frequency)アンプ１０２によって増幅する。ＢＰＦ(Band Pass Filter)１０３は、例えば３００Ｈｚ〜１５ｋＨｚの音声信号を通過させる。ＢＰＦ１０３から出力された音声信号は、加算器１０４に入力される。
【００３８】
加算器１０４には、音声信号に加えて、トーン信号発振器１０５によって得られたトーン言号と、ＤＣＳ信号発生部１０６によって得られたＤＣＳ信号とが入力される。加算器１０４からは、音声信号と、トーン信号と、ＤＣＳ信号とが加算（合成）された信号が出力される。
【００３９】
ＦＭ変調部１０７は、キャリアを加算器１０４から出力された加算信号で周波数変調することで、ＦＭ変調信号を得る。ＦＭ変調信号は、ＲＦアンプ１０８により増幅され、アンテナ１０９から送信される。
【００４０】
ここで、トーン信号発振器１０５は、３２．７６８ｋＨｚのトーン信号を出力する。この周波数は、ＲＣＲ  ＳＴＤの規格にて推奨されている周波数である。トーン信号の周波数は、場合によっては３２．７６８ｋＨｚでなくても良いが、規格上で４０ｋＨｚ以下とされている。なお、トーン信号の周波数は、ＲＣＲ  ＳＴＤ規格に限定されるものではなく、実質的な音声信号の帯域内を除く、後述のＤＣＳ信号の周波数と重ならない任意の周波数であっても良い。
【００４１】
ＤＣＳ信号発生部１０６は、図４に示す構成のＤＣＳ信号を発生し出力する。ＤＣＳ信号は、スケルチ用のディジタルコード（以下ＤＣＳコードと呼ぶ）を含む信号である。ＤＣＳコードは、音声をマイクロホンから受信機へ送受信させるシステム内（以下、自システムと呼ぶ）では同一になるように、システム間では異なるように、あらかじめ各システムのマイクロホンと受信機に割り当てられ登録された識別コードである。ＤＣＳ信号は、９ｂｉｔのＤＣＳコードと、３ｂｉｔの固定データと、１１ｂｉｔの誤り訂正コードとの、計２３ｂｉｔで構成されている。ＤＣＳ信号発生部１０６は、このＤＣＳ信号を１３４．３ｂｉｔ／ｓｅｃのスピードで連続的に出力する。ＤＣＳ信号発生部１０６は、ＣＰＵ(Central Processing Unit)とソフトウェアにより構成されており、ＣＰＵのメモリ部に記憶された複数のＤＣＳコードのうち、ユーザが操作部（図示せず）を介して指定したＤＣＳコードを含むＤＣＳ信号を発生するようになっている。また、ＤＣＳ信号の構成やスピードは、別のビット長やビット割り当て構成・ビットレートであっても良い。ＤＣＳ信号の基本周波数は、音声信号の周波数帯域の下限３００Ｈｚよりも低い周波数１３４．３Ｈｚである。なお、ＤＣＳ信号の基本周波数は、実質的な音声信号の帯域内を除く、前述のトーン信号の周波数と重ならない任意の周波数であっても良い。また構成は、ＣＰＵとソフトウェアによるものに限定されず、ハードウェアロジックや、ＣＰＵ、ソフトウェア、ハードウェアロジックの併用であっても良い。
【００４２】
図３に、加算器１０４から出力されるベースバンド信号の、周波数軸上での信号配置を示す。音声信号の高域側に、音声信号の周波数域と分離されてトーン信号が配置され、音声信号の低域側に、音声信号の周波数域と分離されてＤＣＳ信号が配置される。上述したように、トーン信号は３２．７６８ｋＨｚであり、ＤＣＳ信号は３００Ｈｚ以ドである。
【００４３】
このように、ワイヤレスマイクロホン１００においては、音声信号に、トーン信号に加えてＤＣＳ信号を付加して送信したことにより、自ワイヤレスマイクロホンシステムの近隣に他のワイヤレスマイクロホンシステムが存在し、他のシステムで自システムと同じ周波数のトーン信号が用いられていても、受信機側で、他システムとの混信を防止できるようになる。つまり、受信機は、自システムで割り当てられているＤＣＳコードに一致するＤＣＳコードを受信しているときには音声出力を行い（つまりスケルチをＯＦＦにする）、自システムで割り当てられているＤＣＳコードに一致するＤＣＳコードを受信していないときには、音声出力を行わない（つまりスケルチをＯＮにする）。このようにして、隣接システムからの混信による煩わしい不必要な音声の出力やノイズの出力を防上できる。なお、一致するＤＣＳコードに限定されるものではなく、ワイヤレスマイクロホン１００のＤＣＳコードが、受信機に対応したものであることを受信機またはその周辺機器（図示せず）が検出可能であればよい。
【００４４】
［１−２］構成II
図２との対応部分に同一符号を付して示す図５は、ワイヤレスマイクロホンの第２の構成例を示す。以下では、図２のワイヤレスマイクロホン１００と異なる部分のみ説明する。
【００４５】
ワイヤレスマイクロホン２００は、トーン信号発振器１０５により得たトーン信号及びＤＣＳ信号発生部１０６により得たＤＣＳ信号を、変調部２０２に入力する。変調部２０２は、トーン信号をＤＣＳ信号によって変調することにより、トーン信号にＤＣＳ信号を重畳する。変調部２０２によって行われる変調方式は、ＡＳＫ(Amplitudc Shift Keying)、ＰＳＫ(Phase Shift Keying)又はＦＳＫ(Frequency Shift Keying)等である。例えば、ＡＳＫを採用した場合には、ＤＣＳ信号のビットに応じて、トーン信号の振幅を変化させればよい。このようにすることで、トーン信号にＤＣＳ信号の情報を乗せることができる。変調部２０２は、トーン信号にＤＣＳ信号の情報が重畳されてなる変調信号を、加算器２０１に出力する。
【００４６】
加算器２０１は、ＢＰＦ１０３から入力された音声信号と、変調部２０２から入力された変調信号とを加算する。図６に、加算器２０１から出力されるベースバンド信号の、周波数軸上での信号配置を示す。音声信号の高域側に、トーン信号にＤＣＳ信号が重畳されてなる変調信号が音声信号の周波数域と分離されて配置される。この変調信号の周波数は、変調部２０２でＡＳＫ、ＰＳＫが行われる場合には３２．７６８ｋＨｚである。トーン信号は、ＡＳＫ、ＰＳＫ、ＦＳＫが行われる場合には３２．７６８ｋＨｚから高域側及び低域側に占有周波数帯幅を有するが、そもそもＤＣＳ信号の周波数が３００Ｈｚ以下と非常に低いので、この占有周波数幅は音声信号の帯域に悪影響を及ぼすものではない。
【００４７】
ワイヤレスマイクロホン２００によれば、ワイヤレスマイクロホン１００と同様に、受信側で、トーン信号及びＤＣＳ信号を併用したスケルチを行うことができるので、混信を防止した良好なスケルチ処理を行わせることができる。
【００４８】
加えて、ワイヤレスマイクロホン２００によれば、トーン信号とＤＣＳ信号とを音声信号の高域側で音声信号の周波数帯域外の同一帯域で送信するので、３００Ｈｚ以下の音声信号の低域についても伝送帯域を確保しつつ、受信側で良好なスケルチ処理を行わせることができるようになる。特に、音声の品質（音質）に大きな影響を及ぼす、音声信号の低域側にＤＣＳ信号を配置しないので、低域まで伸びた高音質の音声信号を伝送できる。
【００４９】
なお、第２の構成例によるワイヤレスマイクロホンによれば、トーン信号とＤＣＳ信号とを音声信号の高域側の同一帯域で送信することとしたが、音声の品質を多少犠牲にすることとなるが、音声信号の低域側に変調信号を配置することももちろん可能である。
【００５０】
［１−３］構成III
図２との対応部分に同一符号を付して示す図７は、ワイヤレスマイクロホンの第３の構成例を示す。以下では、図２のワイヤレスマイクロホン１００と異なる部分のみ説明する。
【００５１】
ワイヤレスマイクロホン３００は、トーン信号に、受信機を制御するための制御信号を重畳して送信するようになっている。
【００５２】
ワイヤレスマイクロホン３００は、電池電圧情報生成部３０１でワイヤレスマイクロホン３００の電池残量を示す電池電圧データを生成し、これを変調部３０３に出力する。また、ボリューム制御ＳＷ（スイッチ）３０２は、受信機のボリュームを増減させるためのボリューム制御データを変調部３０３に出力する。
【００５３】
変調部３０３は、トーン信号発振器１０５から入力したトーン信号を、電池電圧データ及びボリューム制御データによって変調することにより、トーン信号に電池電圧データ及びボリューム制御データを重畳する。変調部３０３によって行われる変調方式は、ＡＳＫ、ＰＳＫ又はＦＳＫ等である。例えば、ＡＳＫを採用した場合には、電池電圧データ及びボリューム制御データの内容に応じて、トーン信号の振幅を変化させればよい。このようにすることで、トーン信号に電池電圧データ及びボリューム制御データを乗せることができる。変調部３０３は、トーン信号に電池電圧データ及びボリューム制御データが重畳されてなる変調信号を、加算器３０４に出力する。
【００５４】
加算器３０４は、変調部３０３から出力された変調信号と、ＤＣＳ信号発生部１０６から出力されたＤＣＳ信号とを加算する。加算器３０４の出力は、加算器３０５に入力される。加算器３０５は、ＢＰＦ１０３から入力された音声信号と、加算器３０４から入力された加算信号とを加算する。
【００５５】
図８に、加算器３０５から出力されるベースバンド信号の、周波数軸上での信号配置を示す。音声信号の高域側に、トーン信号に制御データ（図７の例の場合、電池電圧データ及びボリューム制御データ）が重畳されてなる変調信号が配置される。この変調信号の周波数は、変調部３０３でＡＳＫ、ＰＳＫが行われる場合には３２．７６８ｋＨｚである。トーン信号はＡＳＫ、ＰＳＫ、ＦＳＫが行われる場合には３２．７６８ｋＨｚから高域側及び低域側に占有周波数幅を有するが、ＤＣＳ信号の周波数が３００Ｈｚ以下と非常に低いので、この占有周波数幅は音声信号の帯域に悪影響を及ぼすものではない。また、音声信号の低域側には、ＤＣＳ信号が配置される。
【００５６】
ワイヤレスマイクロホン３００によれば、ワイヤレスマイクロホン１００と同様に、受信側で、トーン信号及びＤＣＳ信号を併用したスケルチを行うことができるので、混信を防止した良好なスケルチ処理を行わせることができる。加えて、ワイヤレスマイクロホン３００によれば、トーン信号に制御データを重畳したので、ワイヤレスマイクロホン３００から受信機への電池残量の送信およびワイヤレスマイクロホン３００による受信機の音量制御を行うことができるとともに、トーン信号の周波数帯域を有効活用でき、制御データを送信するための周波数リソースを節約できる。
【００５７】
なお、トーン信号に重畳する制御データは、当然、電池電圧データ及びボリューム制御データに限定されるものではない。例えばワイヤレスマイクロホン３００による拡声を必要としない期間には、ＥＣＯすなわち消費電力低減の観点から、受信機そのものの電源ＯＮ／ＯＦＦ制御を制御データとしてもよいし、ワイヤレスマイクロホン３００から受信機の受信音量調整をする制御データとしてもよい。
【００５８】
［２］混信防止効果、及び、高音質伝送効果
ここでは、上述したワイヤレスマイクロホン１００、２００、３００における、近隣システムとの混信防止効果について説明する。
【００５９】
図９では、近隣に複数のワイヤレスマイクロホンシステム（図では単にシステムと記載してある）が存在し、かつ、システム間で同一のトーン周波数が用いられている。つまり、システムＡ、Ｂ、Ｃで同一のトーン周波数のトーン信号が用いられている。但し、ワイヤレスマイクロホン１００、２００、３００からトーン信号と共に送信される、ＤＣＳコードが各システム間で異なるものとされている。
【００６０】
ワイヤレスマイクロホン１００、２００、３００を用いると、システムＡのワイヤレスマイクロホン（マイク）からの信号が、システムＢの受信機及びシステムＣの受信機に到達するが、システムＡのＤＣＳコードは、システムＢ、ＣのＤＣＳコードと一致しないため、システムＢ、Ｃの受信機はスケルチをＯＮにして音声出力を行わない。よって、システムＡのマイクからの信号がシステムＢ、Ｃの受信機で混信されることが防止される。
【００６１】
また、システムＢのマイクからの信号が、システムＡの受信機に到達するが、システムＢのＤＣＳコードは、システムＡのＤＣＳコードと一致しないため、システムＡの受信機はスケルチをＯＮにして音声出力を行わない。よって、システムＢのマイクからの信号がシステムＡの受信機で混信されることが防止される。因みに、システムＣの受信機は、システムＢのマイクから遠いため、混信しない。
【００６２】
また、システムＣのマイクからの信号が、システムＡの受信機に到達するが、システムＣのＤＣＳコードは、システムＡのＤＣＳコードと一致しないため、システムＡの受信機はスケルチをＯＮにして音声出力を行わない。よって、システムＣのマイクからの信号がシステムＡの受信機で混信されることが防止される。因みに、システムＢの受信機は、システムＣのマイクから遠いため、混信しない。
【００６３】
このように、上述したワイヤレスマイクロホン１００、２００、３００を用いれば、近隣に他のシステムが存在し、トーン信号が混信した場合でも、ＤＣＳ信号を用いて良好なスケルチ処理を行うことができる。
【００６４】
加えて、ワイヤレスマイクロホン２００においては、トーン信号に、ＤＣＳコード又は制御データを重畳し、それを音声信号の高域側の同一帯域で送信するので、音声信号の帯域を確保できる。特に、音声の品質に大きな影響を及ぼす、音声信号の低域側にＤＣＳコード又は制御データを配置しないので、高音質の音声信号を伝送できる。
【００６５】
［４］受信機の構成
［４−１］構成Ｉ
図１０に、受信機の第１の構成例を示す。図１０の受信機４００は、図２に示した構成のワイヤレスマイクロホン１００から送信された信号を受信する。
【００６６】
受信機４００は、アンテナ４０１で受信した信号をＲＦアンプ４０２で増幅した後、ＦＭ復調部４０３で復調する。復調後の信号は、ＢＰＦ４０４、ノイズスケルチ判断部４１０、トーンスケルチ判断部４１１及びＤＣＳ判断部４１２に出力される。
【００６７】
ＢＰＦ４０４は、復調後の信号の帯域のうち、音声信号の帯域のみを通過させる。ＢＰＦ４０４から出力された音声信号は、ＡＦアンプ４０５によって増幅され、スケルチ制御部４０６に入力される。
【００６８】
ノイズスケルチ判断部４１０は、受信信号の受信電界強度が閾値以下の場合に、スケルチ要（つまりスケルチＯＮ）と判断し、判断結果をスケルチ制御部４０６に出力する。なお、ノイズスケルチの判断基準は、受信電界強度に限らない。例えば、受信信号の雑音成分が閾値以上の場合に、スケルチ要（スケルチＯＮ）と判断してもよい。
【００６９】
トーンスケルチ判断部４１１は、トーン信号が所定の強度で検出できない場合に、スケルチ要（スケルチＯＮ）と判断し、判断結果をスケルチ制御部４０６に出力する。トーン信号が所定の強度であることは、例えば、所定の閾値で２値化されたトーン信号が交番することによって検出される。なお、これに限定されず、多値やアナログのまま、所定の閾値と比較してもよい。
【００７０】
ＤＣＳ判断部４１２には、自システムに割り当てられたＤＣＳコードがあらかじめ設定されており、ＤＣＳ判断部４１２は、自システムに割り当てられたＤＣＳコードに一致するＤＣＳコードを検出できない場合に、スケルチ要（スケルチＯＮ）と判断し、判断結果をスケルチ制御部４０６に出力する。また、ＤＣＳ判断部４１２は判断方法をより簡略化し、ＤＣＳ信号そのものの有無によってスケルチ要否の判断をしてもよい。例えば、ＤＣＳ信号が存在する場合はスケルチ不要（スケルチＯＦＦ）と判断し、ＤＣＳ信号が存在しない場合にはスケルチ要（スケルチＯＮ）と判断する等である。
【００７１】
スケルチ制御部４０６は、ノイズスケルチ判断部４１０、トーンスケルチ判断部４１１及びＤＣＳ判断部４１２からのスケルチ要否の判断結果に基づいて、スケルチを行う。スケルチ制御部４０６は、スケルチ否の場合（スケルチＯＦＦ）には、ＡＦアンプ４０５の出力をそのままＡＦアンプ４０７に出力する。ＡＦアンプ４０７により増幅された信号は、音声出力信号としてスピーカ（図示せず）に出力される。一方、スケルチ要の場合（スケルチＯＮ）には、ＡＦアンプ４０５の出力を遮断し、ＡＦアンプ４０７に出力しない。
【００７２】
ここで、スケルチ制御部４０６がどのようにスケルチを行うか否かについては、後で詳述する。基本的には、ノイズスケルチ判断部４１０、トーンスケルチ判断部４１１及びＤＣＳ判断部４１２のいずれか一つからでもスケルチ要の判断結果を入力した場合には、スケルチを行う。これにより、トーン信号が混信した場合でも確実にスケルチ処理を行うことができる。本実施の形態のスケルチ制御部４０６は、この基本的なスケルチ制御に加えて、後述する制御を行うことで、ノイズ出力を抑制するといったスケルチ本来の機能を維持しつつ、不自然な音声の途切れを防止できるようになっている。
【００７３】
［４−２］構成II
図１０との対応部分に同一符号を付して示す図１１は、受信機の第２の構成例を示す。以下では、図１０の受信機４００と異なる部分のみ説明する。
【００７４】
図１１の受信機５００は、図５に示した構成のワイヤレスマイクロホン２００から送信された信号を受信する。
【００７５】
トーンスケルチ判断部５０１は、トーン信号を検出し、トーン信号を検出できない場合に、スケルチ要（スケルチＯＮ）と判断し、判断結果をスケルチ制御部４０６に出力する。また、トーンスケルチ判断部５０１は、トーン信号に重畳されているＤＣＳ信号（スケルチ要否の判断前の信号）を復調し、復調したＤＣＳ信号をＤＣＳ判断部５０２に出力する。具体的には、ワイヤレスマイクロホン２００（図５）の変調部２０２で行われた変調方式に対応するあらかじめ定められた復調方式を行うことで、ＤＣＳ信号が復調される。
【００７６】
ＤＣＳ判断部５０２は、自システムに割り当てられたＤＣＳコードに一致したＤＣＳコードを検出できない場合に、スケルチ要（スケルチＯＮ）と判断し、判断結果をスケルチ制御部４０６に出力する。
【００７７】
［４−３］構成III
図１０との対応部分に同一符号を付して示す図１２は、受信機の第３の構成例を示す。以下では、図１０の受信機４００と異なる部分のみ説明する。
【００７８】
図１２の受信機６００は、図７に示した構成のワイヤレスマイクロホン３００から送信された信号を受信する。
【００７９】
トーンスケルチ判断部６０１は、トーン信号を検出し、トーン信号を検出した場合に、スケルチを行わない（スケルチＯＦＦ）と判断し、トーン信号を検出できない場合に、スケルチ要（スケルチＯＮ）と判断し、判断結果をスケルチ制御部４０６に出力する。また、トーンスケルチ判断部６０１は、トーン信号に重畳されている制御データを復調し、これを制御データ抽出部６０２に出力する。具体的には、ワイヤレスマイクロホン３００（図７）の変調部３０３で行われた変調方式に対応する復調方式を行うことで、制御データが復調される。
【００８０】
制御データ抽出部６０２は、制御データから電池電圧データとボリューム制御データとを抽出（分離）する。電池電圧データは、マイクの電池残量表示を行うために用いられる。ボリューム制御データは、ボリューム制御部６０３に出力される。ボリューム制御部６０３は、ボリューム制御データに基づいて、音声信号の増幅率を変化させる。
【００８１】
［５］スケルチ制御部によるスケルチ制御
［５−１］スケルチ制御Ｉ
図１３に、スケルチ制御部４０６による第１のスケルチ制御例を示す。図１３Ａはワイヤレスマイクロホン１００（２００又は３００）から送信された信号の様子を示す。図１３Ｂは、受信機４００（５００又は６００）により受信された信号の様子、及び、出力される音声信号の様子（つまりスケルチの様子）を示す。
【００８２】
図１３Ａに示すように、ワイヤレスマイクロホン１００（２００又は３００）からは、同一時間に、音声信号、トーン信号及びＤＣＳ信号が送信される。
【００８３】
図１３Ｂにおいて、ＤＣＳ信号における空白期間（白抜きで示す期間）は、ＤＣＳ判断部４１２（５０２）で自システムのＤＣＳコードに一致するＤＣＳコードが検出されず、ＤＣＳ判断部４１２（５０２）からスケルチ要（スケルチＯＮ）の判断結果が出力されている期間である。また、トーン信号における空白期間は、トーンスケルチ判断部４１１（５０１、６０１）でトーン信号が検出されず、トーンスケルチ判断部４１１（５０１、６０１）からスケルチ要（スケルチＯＮ）の判断結果が出力されている期間である。
【００８４】
スケルチを行うか行わないかは、空白期間の長さを所定の閾値と比較して判断される。時点ｔ１からｔ２の期間Ｔ１では、ＤＣＳ信号に基づくスケルチは必要（スケルチＯＮ）と判断されているが、トーン信号は検出されており、かつ期間Ｔ１が所定の閾値よりも短い期間であり、スケルチ制御部４０６はスケルチを行わず（スケルチＯＦＦ）、音声信号を出力する。
【００８５】
時点ｔ３からｔ４の期間Ｔ２では、トーン信号に基づくスケルチは必要（スケルチＯＮ）と判断されているが、ＤＣＳ信号は検出されており（具体的には自システムに一致するＤＣＳコードは検出されており）、かつ期間Ｔ２が所定の閾値よりも短い期間であり、スケルチ制御部４０６はスケルチを行わず（スケルチＯＦＦ）、音声信号を出力する。
【００８６】
時点ｔ５からｔ６の期間Ｔ３では、ＤＣＳ信号に基づくスケルチは必要（スケルチＯＮ）と判断されているが、トーン信号は検出されており、かつ期間Ｔ３が所定の閾値よりも短い期間であり、スケルチ制御部４０６はスケルチを行わず（スケルチＯＦＦ）、音声信号を出力する。
【００８７】
時点ｔ７からｔ８の期間Ｔ４では、トーン信号に基づくスケルチは必要（スケルチＯＮ）と判断されているが、ＤＣＳ信号は検出されており（具体的には自システムに一致するＤＣＳコードは検出されており）、かつ期間Ｔ４が所定の閾値よりも短い期間であり、スケルチ制御部４０６はスケルチを行わず（スケルチＯＦＦ）、音声信号を出力する。
【００８８】
なお、各期間Ｔ１、Ｔ２、Ｔ３、Ｔ４が所定の閾値を越えた場合には、越えた時点からスケルチを行う（すなわちスケルチＯＮであり、越えた時点で音声出力を停止させる）。また、図１３Ｂには、ノイズスケルチとの関係は図示を省略しているが、スケルチ制御部４０６は、ノイズスケルチ判断部４１０からノイズスケルチ要（スケルチＯＮ）の判断結果を入力した場合には、ＤＣＳ信号及びトーン信号の状態に関わらず、スケルチを行う（スケルチＯＮすなわち音声出力を停止する）ようになっている。
【００８９】
図１４は、図１３に対する比較例として、ＤＣＳ信号を用いた、従来の一般的なスケルチの様子を示すものである。図１４Ａには、ワイヤレスマイクロホンから同一時間に送信される音声信号及びＤＣＳ信号の様子が示されている。図１４Ｂには、受信機により受信されたＤＣＳ信号の様子、及び、出力される音声信号の様子（つまりスケルチの様子）を示す。ＤＣＳ信号が検出されない時点ｔ１からｔ２の期間、及び時点ｔ３からｔ４の期間は、スケルチが行われ（スケルチＯＮ）、音声出力が停止される。
【００９０】
このように、図１３Ｂを用いて説明したスケルチ制御においては、トーンスケルチ又はディジタルコードスケルチの一方がスケルチ要（スケルチＯＮ）で、かつ、他方がスケルチ不要（スケルチＯＦＦ）の判断結果が得られ、かつ、スケルチ要（スケルチＯＮ）と判断された信号が検出されなかった期間がいずれも閾値以下の場合に、スケルチを行わない（スケルチＯＦＦ）。これにより、トーン信号の受信ができなかった場合、又は、スケルチ用のディジタルコードの受信ができなかった場合でも、すなわちそれらが瞬間的なものであった（所定の閾値よりも短い）とみなされる場合には、スケルチを行わない（スケルチＯＦＦ）ようにしたことにより、不必要に音声が途切れることを防止できる。但し、スケルチを行わない（スケルチＯＦＦ）のは、互いに他方の信号が検出できているといった条件の下においてである。このような条件をつけたことで、ノイズ出力を抑制するといったスケルチ本来の機能を維持できる。これにより、スケルチの信頼性が高く、かつ、安定した音声出力が可能となる。
【００９１】
［５−２］スケルチ制御II
図１５に、スケルチ制御部４０６による第２のスケルチ制御例を示す。図１５Ａはワイヤレスマイクロホン１００（２００又は３００）から送信された信号の様子を示す。図１５Ｂは、受信機４００（５００又は６００）により受信された信号の様子、及び、出力される音声信号の様子（つまりスケルチの様子）を示す。
【００９２】
図１５Ａに示すように、ワイヤレスマイクロホン１００（２００又は３００）からは、同一時間に、音声信号、トーン信号及びＤＣＳ信号が送信される。
【００９３】
図１５Ｂにおいて、ＤＣＳ信号には一定サイクルで読込期間Ｔ１、Ｔ２があることが示されている。読込期間とは、ＤＣＳコードを構成するビットがビット列として順に伝送され受信されるスケルチ用のＤＣＳコードを検出するのに要する時間である。読込期間内は、ＤＣＳコードのシリアル→パラレル変換中であり、ＤＣＳコードを検出することはできない。上述したように、ＤＣＳ信号は、例えば９ｂｉｔのＤＣＳコードと、３ｂｉｔの固定データと、１１ｂｉｔの誤り訂正コードとの、計２３ｂｉｔで構成されており、このＤＣＳ信号は、１３４．３ｂｉｔ／ｓｅｃのスピードで連続的に送信されるので、ＤＣＳコードの検出には１７１ｍＳ程度の時間を要する。この１７１ｍＳ程度の時間が読込期間Ｔ１、Ｔ２である。
【００９４】
時点ｔ１からｔ２の期間では、ＤＣＳ信号は読込期間内（以下、読込中という）であり、トーン信号は検出されていないので、スケルチ制御部４０６は、スケルチを行うよう制御し、音声信号を出力しない。
【００９５】
時点ｔ２からｔ３の期間では、ＤＣＳ信号は読込中であるが、トーン信号は検出されているので、スケルチ制御部４０６は、スケルチを行わないよう制御し、音声信号を出力する。
【００９６】
時点ｔ４からｔ５の期間では、ＤＣＳ信号は読込中であるが、トーン信号は検出されているので、スケルチ制御部４０６は、スケルチを行わないよう制御し、音声信号を出力する。
【００９７】
図１６は、図１５に対する比較例として、ＤＣＳ信号を用いた、従来の一般的なスケルチの様子を示すものである。図１６Ａには、ワイヤレスマイクロホンから同一時間に送信される音声信号及びＤＣＳ信号の様子が示されている。図１６Ｂには、受信機により受信されたＤＣＳ信号の様子、及び、出力される音声信号の様子（つまりスケルチが動作する様子）を示す。ＤＣＳ信号を読込中である時点ｔ１からｔ２の期間、及び時点ｔ３からｔ４の期間は、スケルチが行われ、音声出力が停止される。このように、ＤＣＳ信号の読込に起因する、１７１ｍＳ程度の音声の途切れが発生する。
【００９８】
これに対して、図１５Ｂを用いて説明したスケルチ制御においては、ＤＣＳ信号が読込中であっても、トーン信号が検出できていればスケルチを行わない（音声出力する）ようにしたことにより、その分だけ、不必要に音声が途切れることを防止できる。但し、スケルチを行わないのは、他方の信号が検出できているといった条件の下においてである。このような条件をつけたことで、ノイズ出力を抑制するといったスケルチ本来の機能を維持できる。これにより、スケルチの信頼性が高く、かつ、安定した音声出力が可能となる。
【００９９】
［５−３］スケルチ制御手順
図１７に、スケルチ制御部４０６によるスケルチ制御の手順を示す。図１７に示す手順は、上述したスケルチ制御Ｉ（図１３Ｂ）を実行するための手順である。
【０１００】
スケルチ制御部４０６は、ステップＳＴ１０でスケルチ制御を開始すると、先ずステップＳＴ１１でスケルチをセット状態（スケルチＯＮ）にして音声出力をミュートする。ステップＳＴ１２、ＳＴ１３、ＳＴ１４では、それぞれ、ＤＣＳ判断部４１２（５０２）、トーンスケルチ判断部４１１（５０１、６０１）、ノイズスケルチ判断部４１０から、スケルチ要否の判断結果を入力する。
【０１０１】
ステップＳＴ１５では、タイマー処理により、ＤＣＳが要と判断された時間を計測する。ステップＳＴ１６では、ＤＣＳが要の時間が閾値以下か否か判定し、閾値以下でない場合にはステップＳＴ１１に戻る。ステップＳＴ１７では、タイマー処理により、トーンスケルチ要と判断された時間を計測する。ステップＳＴ１８では、トーンスケルチが要の時間が閾値以下か否か判定し、閾値以ドでない場合にはステップＳＴ１１に戻る。つまり、ステップＳＴ１６、ＳＴ１８では、スケルチ要の時間が閾値よりも大きいときのみ、スケルチを動作させると判定する。
【０１０２】
ステップＳＴ１９では、タイマー処理により、ノイズスケルチ要と判断された時間を計測する。ステップＳＴ２０では、ノイズスケルチ要の時間が閾値よりも大きいときにスケルチをすると判定する。
【０１０３】
ステップＳＴ２１、ＳＴ２２及びＳＴ２３では、ステップＳＴ１６、ＳＴ１８及びＳＴ２０での判断出力（判定結果）が入力され、ＹＥＳが入力された場合は論理値Ｈｉｇｈが出力され、ＮＯが入力された場合は論理値Ｌｏｗが判定結果に基づく論理値出力として出力される。
【０１０４】
ステップＳＴ２４では、ＤＣＳの要否判定出力結果（ＳＴ２１）、トーンスケルチの要否判定出力結果（ＳＴ２２）、ノイズスケルチの要否判定出力結果（ＳＴ２３）を用いて、論理演算を行うことにより、実際にスケルチを行うか否かを決定する。
【０１０５】
ステップＳＴ２５では、ステップＳＴ２４での論理演算結果に基づいて、音声出力をＯＮ／ＯＦＦ制御する。そして、ステップＳＴ２６で、スケルチ制御を終了する。
【０１０６】
図１８は、ステップＳＴ２４で行う論理演算を等価回路により表現したものである。ノイズスケルチの判断結果が端子７０１から入力され、トーンスケルチの判断結果が端子７０２から入力され、ＤＣＳの判断結果が端子７０３から入力される。ここで、スケルチをするという判断結果の場合には、論理値Ｌｏｗ（Ｌ）が入力され、スケルチをしないという判定結果の場合には論理値Ｈｉｇｈ（Ｈ）が入力される。なお、トーンスケルチ及びＤＣＳに関しては、瞬断の場合、すなわちそれぞれの所定の閾値以下の場合には、論理値Ｈが入力される。端子７０４から、論理Ｈが出力された場合には音声を出力し（つまりスケルチを行わず）、論理Ｌが出力された場合には音声を出力しない（つまりスケルチを行う）。
【０１０７】
さらに、上述したスケルチ制御II（図１５Ｂ）を併用する場合を説明する。図１８のステップＳＴ１２において、ＤＣＳの要否判断結果と、ＤＣＳを読込中であるか否かを示す検出結果とを入力し、ＤＣＳが不要、又はＤＣＳコードが読込中の場合は、ＤＣＳ不要と判断して、タイマー処理に移らないようにする。他の動作は上述の図１８と同じである。
【産業上の利用可能性】
【０１０８】
本発明は、トーンスケルチとディジタルコードスケルチを併用した場合に、隣接システムからの不要な音声やノイズの出力を抑制するといったスケルチ本来の機能を維持しつつ、不自然な音声の途切れを防止でき、例えば放送局、会社、学校等で使用されるワイヤレスマイクロホンシステムに好適である。
【符号の説明】
【０１０９】
１００、２００、３００  ワイヤレスマイクロホン
１０１  マイクロホン（マイク）
１０４、２０１  加算器
１０５  トーン信号発振器
１０６  ＤＣＳ信号発生部
２０２  変調部
４００、５００、６００  受信機
４０６  スケルチ制御部
４１０  ノイズスケルチ判断部
４１１、５０１、６０１  トーンスケルチ判断部
４１２、５０２  ＤＣＳ判断部
６０２  制御データ抽出部
【図１】
2012191327.tif 000003
【図２】
2012191327.tif 000004
【図３】
2012191327.tif 000005
【図４】
2012191327.tif 000006
【図５】
2012191327.tif 000007
【図６】
2012191327.tif 000008
【図７】
2012191327.tif 000009
【図８】
2012191327.tif 000010
【図９】
2012191327.tif 000011
【図１０】
2012191327.tif 000012
【図１１】
2012191327.tif 000013
【図１２】
2012191327.tif 000014
【図１３】
2012191327.tif 000015
【図１４】
2012191327.tif 000016
【図１５】
2012191327.tif 000017
【図１６】
2012191327.tif 000018
【図１７】
2012191327.tif 000019
【図１８】
2012191327.tif 000020